(57)【要約】ブルニアンリンクとは、チェインを形成するために、別の閉じたループを捕捉するように自身に対して折り畳まれた閉じたループから形成されたリンクである。弾性バンドは、所望のやり方でこのようなリンクを形成するために利用することができる。開示されたキットは、最初のバンドを取り付けるためのテンプレートと、テンプレートに配置された最初のバンドに追加のバンドを取り付けるために利用されるフックとを含む。テンプレートは、追加のバンドが互いにリンクされる間に最初のバンドを所定の位置に保持するピンを含む。キットは、所望の長さが形成されると端部を取り付けるために利用されるクリップを更に含む。
2015503407.tif 000002
【特許請求の範囲】
【請求項１】
一連のリンクから構成されるアイテムを作成するための装置であって、
互いから離れた少なくとも２つのピンを含むテンプレートを備え、各ピンが第１の端部、ベース端部及びアクセス溝を含む、装置。
【請求項２】
前記各ピンの前記ベース端部の間に延びるブリッジ部を含む、請求項１に記載の装置。
【請求項３】
前記アクセス溝は、前記テンプレートの外を向いた側に配置される、請求項２に記載の装置。
【請求項４】
前記アクセス溝の各々は、前記第１の端部及び前記ベース端部を含む前記各ピンを全体に通って延びる、請求項２に記載の装置。
【請求項５】
前記各ピンは、前記第１の端部と前記ベース端部との間にバレル部を含む、請求項１に記載の装置。
【請求項６】
前記ベース端部は、前記バレル部の直径よりも大きな直径を有する、請求項５に記載の装置。
【請求項７】
前記第１の端部は前記溝によって中断される、請求項１に記載の装置。
【請求項８】
リンクされたアイテムを作成する方法であって、
弾性バンドの第１の端部をテンプレートの第１のピンに取り付けるステップであって、前記テンプレートは互いから離れた少なくとも２つのピンを含み、各ピンが第１の端部、ベース端部及びアクセス溝を含むステップと、
前記弾性バンドの第２の端部を前記テンプレートの第２のピンの周囲でループ状にするステップと、
前記弾性バンドの前記第２の端部を前記第１のピンに取り付けるステップと、
前記アクセス溝を通じて第２の弾性バンドを引っ張り、前記第２の弾性バンドの第１及び第２の端部でループを作成するステップと、
所望のリンクの長さ及び構成が得られるまで、前の弾性バンドのループ状にされた端部を通じて後の端部を捕捉して引っ張るステップと
を含む、方法。
【請求項９】
前記弾性バンドの一端部を捕捉することは、一番上の弾性バンドの下まで伸びて、フックツールで一番下の弾性バンドを掴むように、前記ピンの前記アクセス溝の中まで届くフックツールを使用することを含む、請求項８に記載の方法。
【請求項１０】
前記リンクされたアイテムを形成するために前記弾性バンドの端部をクリップの中に挿入するステップを含む、請求項９に記載の方法。
【請求項１１】
一連のリンクから構成されるアイテムを作成するためのキットであって、
互いから離れた少なくとも２つのピンを含むテンプレートであって、各ピンが第１の端部、ベース端部及びアクセス溝を含むテンプレートと、
前記一連のリンクの端部を互いに固定するために開口の各側に配置される内側を向いた端部を含む少なくとも１つのクリップと
を備える、キット。
【請求項１２】
前記クリップはＣ字形状を含み、前記内側を向いた端部は前記開口に垂直な方向に延びる、請求項１１に記載のキット。
【請求項１３】
前記クリップは弾性部材を部分的に受け入れるための内部空間を画定し、前記内側を向いた端部は弾性部材が前記開口を通り抜けないように前記内部空間の中に延びる、請求項１２に記載のキット。
【請求項１４】
弾性部材を互いに対して操作するためのフックを含む、請求項１２に記載のキット。
【請求項１５】
前記一連のリンクを形成するための複数の弾性部材を含む、請求項１４に記載のキット。
【請求項１６】
前記一連のリンクは一連のブルニアンリンクを含む、請求項１５に記載のキット。
【発明の詳細な説明】
【技術分野】
【０００１】
本開示は全体的に、リンクされたアイテムを作成するための方法及び装置に関する。より詳細には、本開示は、弾性バンドからリンクされた装着可能なアイテムを作成するための方法及び装置に関する。
【０００２】
（関連出願への参照）
本出願は、２０１０年１１月５日に出願された米国仮出願第６１／４１０，３９９号への優先権を主張する２０１１年９月８日に出願された米国出願第１３／２２７，６３８号の一部継続出願である。
【背景技術】
【０００３】
独自に着色されたブレスレット又はネックレスを作成するための材料を含むキットは、常にある程度の人気を有してきた。しかしながら、そのようなキットは通常、異なる色に着色された糸およびビーズのような原材料を含むだけで、使用可能で望ましいアイテムを構築することは個人の技量と才能に依存する。従って、独自の装着可能なアイテムを作成するための材料を提供するだけでなく、望ましく耐久性のある装着可能なアイテムの作成を成功させるために、様々な技量及び芸術的レベルの人々に容易に作成させるように構築を簡略化するキットに対する要求及び必要性がある。
【発明の概要】
【０００４】
ブルニアンリンク（Ｂｒｕｎｎｉａｎ  ｌｉｎｋ）とは、チェインを形成するために、別の閉じたループを捕捉するように自身に対して折り畳まれた閉じたループから形成されたリンクである。弾性バンドはこのようなリンクを形成するために所望のやり方で利用することができる。例示的なキット及び装置が、ブルニアンリンク物品の作成のために提供される。更に、例示的なキットは、ブルニアンリンクの組み立て技術を用いて独自の装着可能な物品の作成を成功させる。
【０００５】
例示的なキットは、最初のバンドを取り付けるためのテンプレートと、テンプレートに配置された最初のバンドに追加のバンドを取り付けるために利用されるフックとを含む。テンプレートは最初のバンドを所定の位置に保持するピンを含み、追加のバンドは互いにリンクされる。キットは、所望の長さが形成されると端部を取り付けるために利用されるクリップを更に含む。
【０００６】
本明細書に開示のこうした特長及び他の特徴は、以下の明細書及び図面から最良に理解することができる。以下は図面の簡単な説明である。
【図面の簡単な説明】
【０００７】
【図１】ブルニアンリンク物品を作成するための例示的キットの斜視図である。
【図２】ブルニアンリンク物品の概略図である。
【図３】一連のブルニアンリンクの概略図である。
【図４】例示的なテンプレートの側面図である。
【図５】例示的なテンプレートの端面図である。
【図６】例示的なテンプレートの上面図である。
【図７】ブルニアンリンクされた物品の繋がれていない端部を固定するための例示的なクリップの平面図である。
【図８】例示的なクリップで固定された弾性バンドを示す斜視図である。
【図９Ａ−９Ｋ】例示的なテンプレート及びキットを使用してブルニアンリンク物品を作成する例示的な方法を示す。
【図１０】別の例示的なテンプレートの側面図である。
【図１１】図１０に示された例示的なテンプレートの上面図である。
【図１２】図１０及び１１に示された例示的なテンプレートの側面図である。
【発明を実施するための形態】
【０００８】
図１及び２を参照すると、図２に概略的に示されているようなブレスレット、ネックレス及び他の装着可能な又は装飾的な物品等のブルニアンリンクアイテムを作成するための例示的なキット１０が示されている。例示的なキット１０は、テンプレート１２（図４−６）又は１５（図１０−１２）、クリップ１６及びフック１４を含む。また、例示的なキット１０は、装着可能な物品２６をもたらすためにキット１０と共に使用してブルニアンリンクを形成する多数の弾性部材１８も含む。弾性部材１８は、物品として消費され、組み上げられ、追加の弾性部材で置換され且つ補充される。更に、例示的な弾性部材１８は、例示的なテンプレート１２に一致する大きさを有する。更に、単一のクリップ１６が例示されているが、例示的なキット１０は多くの物品２６の組み上げのために多くのクリップ１６を含むであろう。
【０００９】
図３を参照すると、ブルニアンリンク２０は、実際の結び目を形成することなく、連続的にループした構造から形成される。環状構造を形成するように複数のリンク２０がチェイン状に形成される。各弾性部材１８の端部２２が固定されて、耐久性のある装着可能な物品２６が作成される。この例示では、３つのリンク２０が単一のチェインを形成している。各リンク２０は、一方のループ構造の端部２２を順番に別のループ構造の中央部２４で捕捉することによって形成される。各リンク２０は前後のリンク２０に依存して、所望の形状及び統合性を保持する。１つのリンク２０を取り除くと、結果的に全てのリンクが互いから外れる。
【００１０】
図４、５及び６を参照すると、例示的なテンプレート１２は、互いから所定距離５２だけ離れた２つのピン２８Ａ，２８Ｂを含む。各ピン２８Ａ，２８Ｂは、フランジ３０Ａ，３０Ｂ、ベース３２Ａ，３２Ｂ、及びアクセス溝３４Ａ，３４Ｂを含む。ピン２８Ａ，２８Ｂは、ブリッジ３６によってベース３２Ａ，３２Ｂで接続される。ブリッジ３６は、ピン２８Ａ，２８Ｂの間の距離５２を定義する。
【００１１】
アクセス溝３４Ａ，３４Ｂは、テンプレート１２の外を向いた側３８Ａ，３８Ｂに配置される。アクセス溝３４Ａ，３４Ｂの各々は、フランジ３０Ａ，３０Ｂ及びベース３２Ａ，３２Ｂを含むピン２８Ａ，２８Ｂとブリッジ３６とを全体に通って延びる。
【００１２】
ピン２８Ａ，２８Ｂは、対応するフランジ３０Ａ，３０Ｂの間にバレル部４０Ａ，４０Ｂを含む。バレル部４０Ａ，４０Ｂは、フランジ３０Ａ，３０Ｂの直径４４及びベース３２Ａ，３２Ｂの直径４２より小さい直径４６で形成される。バレル部４０Ａ，４０Ｂは弾性バンド１８を支持し、一方でフランジ３０Ａ，３０Ｂ及びベース３２Ａ，３２Ｂは弾性バンド１８が滑って外れないようにする。
【００１３】
フランジ３０Ａ，３０Ｂの各々は、対応するアクセス溝３４Ａ，３４Ｂによって中断される。アクセス溝３４Ａ，３４Ｂは、フックツール１４の端部を受け入れるような大きさを有する。
【００１４】
図７及び８を参照すると、例示的なクリップ１６は、端部４８が内側を向いた略Ｃ字状に形成される。内側を向いた端部４８は、弾性部材１８が部分的に保持される開放空間５０へと内側を向く。内側を向いた端部４８は、端部２２がクリップ１６から外れて内部領域５０から滑り出ることを防ぐ。
【００１５】
図９Ａ−Ｋを参照すると、例示的なテンプレート１２は、図３に示されるように一連のブルニアンリンク２０を形成するために利用される。理解されるように、弾性バンド１８は、所望の物品の構築中に操作及び把持するのが困難であり得る。例示的なテンプレートによって、初期数のリンク２０のが把持されて、所望のリンクされた物品の最初の数個のリンクが容易になる。テンプレート１２は、第１及び第２のピン２８Ａ，２８Ｂ並びに全高の溝３４を含む。
【００１６】
図９Ｂに示される最初のステップは、弾性バンド１８の第１の端部を第２のピン２８Ｂに取り付けることを含む。次に、図９Ｃに示されるように、第１の弾性バンド１８が引っ張られて、第１のピン２８Ａの周囲でループ状にされる。図９Ｄに示されるように、第１のピン２８Ａの周囲でループ状にされると、第２の端部１８は、第２のピン２８Ｂに再び引っ掛けられる。図９Ｅに示されるように、第１の弾性バンド１８がテンプレート１２に取り付けられた状態で、クリップ１６がバンド１８に取り付けられる。バンド１８が開放領域５０の中に受け入れられるように、クリップ１２は第１のピン２８Ａの溝３４Ａの中で弾性バンド１８の端部の下に挿入される。
【００１７】
図９Ｆに示されるように、クリップ１６が弾性バンド１８の端部２２に引っ掛けられると、フックツール１４がアクセス溝３４を通じて挿入される。次に、図９Ｇに示されるように、第２の弾性バンド１８がフック１４によって引っ掛けられる。フック１４の端部は、フランジ３０Ａから外側に延びて第２のバンド１８を引っ掛けるように、アクセス溝３４Ａを通じて延びて示されている。
【００１８】
次に、図９Ｈに示されるように、第２のバンド１８の一方の端部が、他方の端部を保持している間、溝３４Ａを通じて引っ張られる。次に、図９Ｉに示されるように、フック１４は、第２のバンド１８の端部２２の中に通されて、テンプレート１２に固定されている第１のバンド１８の周囲に中央部２４が巻き付けられる方向にこれらを保持する。次に、第３のバンド１８がフック１４を利用して引っ掛けられて、第２のバンドを通して引っ張られる。
【００１９】
第３のバンド１８は、図９Ｊに示される方向に第３のバンド１８を保持するようにフック１４上でループ状にされる。フック１４は、一方のバンド１８を次のバンド１８上に保持して、前のバンド１８に後のバンド１８を通す準備をするために利用される。この過程は、所望の数のバンド１８が互いにリンクされて図９Ｋに示されるようなチェインを形成するまで繰り返される。リンク２０の所望の長さ及び数が形成されると、クリップ１６を含む第１のバンドがテンプレート１２から取り除かれ得る。次に、クリップ１６は回されて、物品を完成させるために５４で示された繋がれていない端部に留められる。
【００２０】
図１０、１１及び１２を参照すると、別のテンプレート１５がピン２１を支持するホルダ１７を含んでいる。ピン２１の各々は、第１の又は上の端部２３及びベース端部２７を含む。テンプレート１５全体は、物品の作成中に保持される単一の部品である。ピン２１は、図２において２６で示されるものと同様のリンクされた物品の組み上げ中に、弾性部材１８に対する支持を提供する。例示のテンプレート１５は、図９ａ−ｋに提示された同じ組み立て手順によって利用される。
【００２１】
従って、例示のキット及び方法によって、ブレスレット、ネックレス、及び他の装着可能なアイテムを作成するために、ブルニアンリンクの多くの異なる組み合わせ及び構成が作成される。更に、例示のキットは、潜在的なブルニアンリンクの作成能力を更に生み出して展開するために拡張可能である。更に、例示のキットによって、様々な技量レベルの人が独自の装着可能なアイテムの作成に成功できる簡単なやり方で、このようなリンク及びアイテムの作成が行われる。
【００２２】
例示の実施形態が開示されているが、当業者であれば、所定の変更が本開示の範囲に入ることを認識するであろう。従って、本発明の範囲及び内容を決定するために以下の請求項が検討されるべきである。
【図１】
2015503407.tif 000003
【図２】
2015503407.tif 000004
【図３】
2015503407.tif 000005
【図４】
2015503407.tif 000006
【図５】
2015503407.tif 000007
【図６】
2015503407.tif 000008
【図７】
2015503407.tif 000009
【図８】
2015503407.tif 000010
【図９Ａ−９Ｆ】
2015503407.tif 000011
【図９Ｇ−９Ｋ】
2015503407.tif 000012
【図１０】
2015503407.tif 000013
【図１１】
2015503407.tif 000014
【図１２】
2015503407.tif 000015
【手続補正書】
【提出日】平成26年6月30日(2014.6.30)
【手続補正１】
【補正対象書類名】図面
【補正対象項目名】全図
【補正方法】変更
【補正の内容】
【図１】
2015503407.tif 000016
【図２】
2015503407.tif 000017
【図３】
2015503407.tif 000018
【図４】
2015503407.tif 000019
【図５】
2015503407.tif 000020
【図６】
2015503407.tif 000021
【図７】
2015503407.tif 000022
【図８】
2015503407.tif 000023
【図９Ａ−９Ｆ】
2015503407.tif 000024
【図９Ｇ−９Ｋ】
2015503407.tif 000025
【図１０】
2015503407.tif 000026
【図１１】
2015503407.tif 000027
【図１２】
2015503407.tif 000028
【国際調査報告】
2015503407.tif 000029
2015503407.tif 000030